(57)【要約】【課題】  ２つ折り式の携帯通信装置において、取り扱いやすい上に携行しやすく、カバンやバッグに入れる時は勿論のこと、手に持つ時も身に付ける時も落としにくくすることができ、また開動作も簡易迅速に行えるようにすること。【解決手段】  ヒンジ部１４を介して山折り可能に連結された２つの筐体１２，１３を有する２つ折り式の携帯通信装置１１であって、上記各筐体１２，１３のうちの少なくとも一方のヒンジ部１４側の部位に、上方へ突出する突部１５，１６を形成した携帯通信装置１１。【選択図】    図５
2006115253.tif 000002
【特許請求の範囲】
【請求項１】
ヒンジ部を介して山折り可能に連結された２つの筐体を有する２つ折り式の携帯通信装置であって、
上記各筐体のうちの少なくとも一方のヒンジ部側の部位に、上方へ突出する突部を形成した
携帯通信装置。
【請求項２】
前記突部を、ヒンジ部を挟む２つの筐体に形成した
請求項１に記載の携帯通信装置。
【請求項３】
前記突部が、筐体に対して収納可能である
請求項１又は２に記載の携帯通信装置。
【請求項４】
前記突部を回動可能に枢着するとともに、
突部の基部に、筐体に対して接離する挟み部を設けた
請求項１から請求項３のうちのいずれか一項に記載の携帯通信装置。
【請求項５】
前記突部を引き出し可能に形成するとともに、
該突部を、引き出し位置と収納位置のいずれか一方に設定した時に前記挟み部を筐体に対して接離させるべく回動可能に構成した
請求項４に記載の携帯通信装置。
【発明の詳細な説明】
【技術分野】
【０００１】
この発明は、例えば携帯電話機などの携帯通信装置に関し、より詳しくは、携帯や使用が便利であるような携帯電話機に関する。
【背景技術】
【０００２】
携帯通信装置には、その目的や趣味に応じて、様々な形態のものが存在する。なかでも、携帯電話機においては、二つ折り式のものが、そのコンパクトさのため携帯に便利であり、またデザインの良さの点から高い人気がある。
【０００３】
このタイプの携帯電話機は、時代を追って、より薄く、より小型になってきており、その形態も、角がなく、全体的につるんとした、より柔らかな印象のものとなってきている。
【０００４】
このため、見た目には非常に良いが、カバンやバッグに入れた時や手に持った時、特に手袋をした手に持った時、さらには身に付けた時など、携帯電話機を落としやすい難点がある。
【０００５】
また、着信があったときなどの使用時には、折り畳まれた状態の携帯電話機を開かなければならないが、この開動作は、ヒンジ部とは反対側の遊端側を両手で剥がすようにして行われる。このため、動作が容易に、また迅速に行えない難点もある。
【０００６】
なお、携帯時に不測に落としたりしないように、留めるためのクリップを設けたものは知られている（例えば、下記特許文献１参照）。
【０００７】
【特許文献１】特許第３０４８２２８号公報
【発明の開示】
【発明が解決しようとする課題】
【０００８】
そこで、この発明は、需要の高い２つ折り式の携帯通信装置において、取り扱いやすい上に携行しやすく、カバンやバッグに入れる時は勿論のこと、手に持つ時も身に付ける時も落としにくくすることができ、また開動作も簡易迅速に行えるようにすることを主たる課題とする。
【課題を解決するための手段】
【０００９】
そのための手段は、ヒンジ部を介して山折り可能に連結された２つの筐体を有する２つ折り式の携帯通信装置であって、上記各筐体のうちの少なくとも一方のヒンジ部側の部位に、上方へ突出する突部を形成した携帯通信装置であることを特徴とする。
【００１０】
すなわち、携帯通信装置を携帯するときには、突部を指先で持つことにより持ちやすくなり、ポケットなどへの出し入れ時には突部のみを持てばよいので、小さなポケットなどへの出し入れも容易である。また突部は突出しているので、接触面に対して引っ掛かりとすることができ、容易に滑らない、転がり難い形状にすることが出来る。特に、突部に穴を形成したり、突部をフック形状に形成したりすれば、携帯通信機を引っ掛けて保持するようにすることができ、より一そう落としにくく出来る。
【００１１】
また、突部は、筐体におけるヒンジ部側の部位に形成しているので、開動作を行う際に指先を引っ掛ける引っ掛かりとすることも出来る。このため、片手で容易に開動作が出来る。しかも、２つ折り式の携帯通信装置であるので、片手で少し開いた上で、例えばポケットの開口部を２つの筐体で挟むように一方の筐体をポケット内に差し込んで保持することで、不測に落ちない保持状態を得られる。
【００１２】
上記突部は、ヒンジ部を挟む２つの筐体に形成すると、指先でつまみやすいので持つのに便利で、また、開くにはつまむだけでよいので簡単である。
【００１３】
上記突部は、筐体に対して収納可能に形成するとよい。収納は全部が行われるも一部のみが行われるも、いずれでもよい。不要時に突部が不必要に出っ張ることを防止して、コンパクト化を保つことが出来る。
【００１４】
上記突部は回動可能に枢着するとともに、突部の基部に、筐体に対して接離する挟み部を設けるとよい。挟み部による挟み込みで、固定することも出来るようになる。
【００１５】
好ましくは、上記突部を引き出し可能に形成するとともに、該突部を、引き出し位置と収納位置のいずれか一方に設定した時に前記挟み部を筐体に対して接離させるべく回動可能に構成するとよい。ポケット等に保持するのに際して、筐体間で挟むのか、挟み部を用いて挟むのかのいずれか一方を選択して保持することが出来る。
【発明の効果】
【００１６】
以上のように、この発明のよれば、筐体のヒンジ部側の部位に突部を、突出させて形成したので、この突部を、携帯時に用いたり、開動作の時に用いたりすることができる。また、突部の存在により、カバンや手の中から落ちようとする時に接触面との間の接触抵抗により、滑り止めが可能で、落ちやすさを軽減できる。
【００１７】
しかも、突部を利用した開動作により、ポケット等に対する落としにくい保持が可能となる。突部のない従来の携帯電話機でこのような保持を行う場合には、両手を使わなければならず、煩雑である。
【００１８】
そのうえ、片手による、これまでには無いスマートな開動作が可能となり、対応の迅速性を得られるなどの効果も有する。
【００１９】
さらに、突部は筐体におけるヒンジ部側の部位から、山折りの上方に向けて突出形成したので、筐体全体の形態が表現する印象を極力損なわないようにすることができ、美観を得られる。
【発明を実施するための最良の形態】
【００２０】
この発明を実施するための一形態を、以下図面を用いて説明する。  
図１は、携帯通信装置の一例としての携帯電話機１１の側面図、図２は、その正面図、図３は、その背面図である。
【００２１】
この携帯電話機１１は、受話部と送話部を別々の筐体１２，１３に組み込んで山折り可能にした２つ折り式のもので、２つの筐体１２，１３がヒンジ部１４を介して連結されている。内部構造は周知のための省略するが、一方の筐体、受話側筐体１２には、受話部とともに表示部がその内面に設けられている。他方の筐体、送話側筐体１３には、送話部とともに操作ボタンが設けられている。
【００２２】
この携帯電話機１１は、使用時には２つの筐体１２，１３を開いて、図４に示した如き形状にして使用される。なお、図示はしないが、ヒンジ部１４には、付勢手段と死点が設けられ、死点を越えた範囲の開閉操作することで、開閉が簡単に行えるように構成されている。
【００２３】
そして各筐体１２，１３には、そのヒンジ部１４側の部位に、ヒンジ部１４を挟むようにして、山折り方向上方に突出する突部１５，１６を形成している。
【００２４】
受話側筐体１２の突部、第１突部１５は、正面視門形（横コ字状）で、その側面視形状を、正面の略垂直な表面から前方斜め上方に延設されたのち鉛直上向きに延設される形状に形成している。
【００２５】
この第１突部１５の中央部の穴は、開く時のぬすみ部１７である。また、上下方向の中間部には、背面側に若干突出するように湾曲する湾曲部１８を形成して、指先の引っ掛かりを良くしている。
【００２６】
一方、送話側筐体１３の突部、第２突部１６は、送話側筐体１３の傾斜した上面から上方に延設さ、正面視方形状に形成される。この第２突部１６の大きさは、上記第１突部１５のぬすみ部１７よりも若干小さく形成し、図４に示したように開いた時に、第１突部１５との干渉を防ぐようにしている。
【００２７】
この第２突部１６も、上下方向の中間部を、正面側に若干突出するように湾曲させて、湾曲部１９を形成し、指先の引っ掛かりを良くしている。
【００２８】
これら第１突部１５と第２突部１６は、筐体１２，１３と一体に形成するも、別体に形成したものを後付けするもよい。
【００２９】
このように構成された携帯電話機１１では、それを取り上げたり、保持したりするのに、第１突部１５と第２突部１６、あるいはこれらのいずれか一方をつまんで行える。
【００３０】
また、カバンやバッグの中に入れた時や、手に持った時、テーブル上等に置いた時には、突部１５，１６がそれらの接触面と接触するので、接触面に対して引っ掛かりとなり、接触面との間の滑りを抑制できる。このため、不測の滑落を抑制可能である。
【００３１】
さらに、携帯電話機１１を携行する時に落としにくくするには、図５に示したように第１突部１５と第２突部１６をつまんで相互に接近する方向に力をかけると、２つの筐体１２，１３は開くので、例えばカバン内部の袋の口や衣服のポケットの口など、その口の一部を２つの筐体１２，１３で挟むように差し込めばよい。死点を越えない範囲で開けば、差し込んだ後に突部１２，１３を放すだけでポケットの生地２０等をパチンと挟むことができ、落ちないように保持できる。
【００３２】
保持した携帯電話機１１を取り出す時にも同様に、第１突部１５と第２突部１６をつまんで、相互に接近させればよく、この状態で引き抜けば、容易に外せる。
【００３３】
この引き抜く動作に続けて、第１突部１５と第２突部１６同士を近づける方向に強く力をかけて死点を越えさせると、筐体１２，１３はサッと開いて、すぐさま使用できる状態になる。
【００３４】
携行時に落としにくくするには、第１突部１５のぬすみ部１７を利用してカバン等の適宜部位に引っ掛けるもよい。
【００３５】
また上方に突出した２つの突部１５，１６をつまめばポケット等に出し入れが出来るので、ポケット等が、携帯電話機１１がピッタリ入るくらいに小さい場合であっても、携帯電話機１１の周りに手を差し込まないで容易に出し入れできる。
【００３６】
携帯電話機１１を開く動作は、上述のように指先でつまむほかに、例えば掌に乗せた状態のまま図６に示したようにして行える。
【００３７】
すなわち、ヒンジ部１４を指側に位置させて掌に乗せて、親指で送話側筐体１３を保持した上で、指先を受話側筐体１２の第１突部１５にかけて、これを押し下げて死点を越えさせると、携帯電話機１１はパッと開くので、そのまま掌の上で滑らせて持ち替えることで、迅速に使用可能な状態に移行できる。
【００３８】
上述のように、突部１５，１６を、携帯電話機１１を保持する時や開操作する時などに用いれば、取り扱いが便利である。また、突部１５，１６の存在により、カバンや手の中から落ちるときの滑り止めが可能で、不測に落としたりすることを抑制できるという利点も有する。
【００３９】
しかも、突部１５，１６を利用した開動作により、ポケット等に対する落としにくい保持が可能となる。その上、片手による、これまでには無いスマートな開動作が可能となり、対応の迅速性を得られるなどの効果も有する。
【００４０】
さらに、突部１５，１６は筐体１２，１３におけるヒンジ部１４側の部位に形成したので、懈怠電話機１１全体の形態が表現する美的印象を極力損なわないようにすることができる。
【００４１】
つぎに、その他の形態について説明する。上述の構成と同様の部位については、同一の符号を付して、その詳しい説明を省略する。
【００４２】
図７は携帯電話機１１の要部を示す断面図で、（ａ）に示したように、第１突部１５と第２突部１６は、引き出し式に収納可能に構成している。すなわち、第１突部１５と第２突部１６の基部には、両内側又は両外側に突出するスライド部２１を形成し、これがスライドするスライド溝２２と、突部１５，１６の一部が収納される収納凹部２３をそれぞれ筐体１２，１３に形成している。
【００４３】
また、（ｂ）に示したように、第１突部１５と第２突部１６を回動式に収納可能に構成するもよい。第１突部１５と第２突部１６の基部には、回動軸２４を形成してそれぞれの筐体１２，１３に枢着し、該回動軸２４を中心にして突部１５，１６が回動した時に、突部１５，１６を収容する収容凹部２５をそれぞれの筐体１２，１３に形成している。  
なお、引き出し式の突部と回動式の突部を組み合わせて構成するもよい。
【００４４】
このように構成した携帯電話機１１では、突部１５，１６が不要な時には、収容凹部２３，２５に収容しておくことで、余分な出っ張りのないコンパクトな形態にしておくことができる。
【００４５】
図８から図１２は、さらに他の例に係る携帯電話機１１を示し、この携帯電話機１１は、上述のような突部に、筐体に対して接離する挟み部を付設した構成である。  
すなわち、図８の側面図に示したように、受話側筐体１２の第１突部１５は、図７（ａ）に示した如くスライド可能に形成し、送話側筐体１３の第２突部１６も、スライド可能に形成して、この第２突部１６の基部に、上記挟み部２６を設けている。
【００４６】
図９、図１０に示したように、第２突部１６は、略長方形板状で、中間部より下側を中空に形成してスライド孔２７を設けている。そして、両側面には長孔２８を形成するとともに、下端部における両側部の表面側には、平面視長方形の凹部２９を形成している。
【００４７】
一方、上記挟み部２６は、長方形板状で、上部側を、上記スライド孔２７に入る厚みに設定するとともに、下部側を、表面が第２突部１６と面一になる厚みに設定している。また、下端側の裏面には、滑り止めの凹凸３０を形成する。そして、上端部には、第２突部１６に差し込まれた後取り付けられ、第２突部１６の長孔２８から両側に突出する軸部３１を設けている。一体となった第２突部１６と挟み部２６は、軸部３１が長孔２８内を相対摺動することで、伸縮可能となる。換言すれば、第２突部１６は引き出し可能であって、引き出し位置と収納位置とこれらの間の位置に変位できる。
【００４８】
これらは、一体となった第２突部１６及び挟み部２６が、上記軸部３１を中心にして、回動するように筐体１３に対して取り付けられる。軸部３１には、ばね部材３２を介在させ、第２突部１６と挟み部２６が筐体１３と平行になる方向に付勢する。
【００４９】
筐体１３には、これらを収容する収容凹部３３を設け、上記第２突部１６を収納位置に設定した時に上記凹部２９に対応する位置に、凹部２９の表面側に位置する（オーバーラップする）押え片３４を、一体形成している。この押え片３４の長さは、第２突部１６を引き出し位置に設定した時に上記オーバーラップが解除される長さに設定される。
【００５０】
すなわち、第２突部１６を収納位置に位置させた時には、第２突部１６を正面側に倒して回動させようとしても、凹部２９が押え片３４に押えられるので回動せず、この回動力は、ヒンジ部１４を中心にして筐体１３を回転させる力になる。
【００５１】
一方、第２突部１６を引き出し位置に位置させた時には、凹部２９と押え片３４の干渉が解除されるので、第２突部１６を正面側に倒して回動させると、第２突部１６は、挟み部２６を伴って回動する。すると、挟み部２６が筐体１３の収容凹部３３から離れ、筐体１３との間に物を挟むことが可能になる。
【００５２】
このように構成した携帯電話機１１では、図１１に示したように、第１突部１５は必要な時に出し入れ可能であるとともに、第２突部１６を収納位置に位置させて、上述のように第１突部１５と第２突部１６をつまんで近づけることで、筐体１２，１３同士を開いて、ポケット等に保持したり、使用可能な状態に開いたりすることができる。
【００５３】
また、図１２に示したように、第２突部１６を引き出して、引き出し位置に位置させ、正面側に倒すことで、挟み部２６をばね部材３２の付勢力に抗して引き起すことができる。引き起された挟み部２６は、カバン等の袋の口や衣服のポケットの口に差してから第２突部１６を解放すると、この挟み部２６を利用しての保持ができる。保持する位置に応じて、筐体１２，１３間で挟んで保持するのか、挟み部２６を利用して保持するのか、都合のよい方を選択できる。
【００５４】
筐体１３には、第２突部１６と挟み部２６とを収容する収容凹部３３を設けているので、表面から突出することはなく、コンパクトな形態を保てる。
【００５５】
以上は、この発明を実施するための一形態であって、この発明は上記一形態の構成のみに限定されるものではなく、様々な形態を採用し得る。
【００５６】
例えば、突部１５，１６は、２つの筐体１２，１３の双方に形成するのではなく、いずれか一方のみに形成するもよく、また、挟み部２６は、送話側筐体１３の第２突部のみに設けるのではなく、他方側の第１突部１５にも設けるほか、第１突部１５のみに設けるもよい。さらに、突部１５，１６の形状は、筐体１２，１３の形状やヒンジ部１４の位置などの要素により適宜変更され得る。
【図面の簡単な説明】
【００５７】
【図１】携帯電話機の側面図。
【図２】携帯電話機の正面図。
【図３】携帯電話機の背面図。
【図４】開いた状態の携帯電話機の側面図。
【図５】作用状態の説明図。
【図６】作用状態の説明図。
【図７】他の例に係る携帯電話機の要部側面図。
【図８】他の例に係る携帯電話機の側面図。
【図９】他の例に係る携帯電話機の背面図。
【図１０】第２突部と挟み部の斜視図。
【図１１】作用状態の説明図。
【図１２】作用状態の説明図。
【符号の説明】
【００５８】
１１…携帯電話機
１２…受話側筐体
１３…送話側筐体
１４…ヒンジ部
１５…第１突部
１６…第２突部
２６…挟み部
【図１】
2006115253.tif 000003
【図２】
2006115253.tif 000004
【図３】
2006115253.tif 000005
【図４】
2006115253.tif 000006
【図５】
2006115253.tif 000007
【図６】
2006115253.tif 000008
【図７】
2006115253.tif 000009
【図８】
2006115253.tif 000010
【図９】
2006115253.tif 000011
【図１０】
2006115253.tif 000012
【図１１】
2006115253.tif 000013
【図１２】
2006115253.tif 000014